(57)【要約】【課題】  犯人等の相手に気づかれずに位置通知専用端末に自動的に切り替わるとともに、電池が外されそうになったといった所定の行為に対して位置通知専用端末に自動的に切り替わることで、子供の誘拐等への対策を強化する。【解決手段】  電源のオフ操作を検出する手段と、電源のオフ操作が検出された場合に、現在位置を通知するとともに、位置通知専用端末モードへ移行させる手段と、位置通知専用端末モードへの移行後に予め設定された時間間隔で周期的に現在位置を通知する手段とを備える。【選択図】  図１
2007049356.tif 000002
【特許請求の範囲】
【請求項１】
電源のオフ操作を検出する手段と、
電源のオフ操作が検出された場合に、現在位置を通知するとともに、位置通知専用端末モードへ移行させる手段と、
位置通知専用端末モードへの移行後に予め設定された時間間隔で周期的に現在位置を通知する手段とを備えたことを特徴とする携帯端末。
【請求項２】
請求項１に記載の携帯端末において、
電源のオフ操作に際して暗証番号の入力が行われた場合には、現在位置の通知および位置通知専用端末モードへの移行を行わずに通常の電源オフモードに移行させることを特徴とする携帯端末。
【請求項３】
請求項１に記載の携帯端末において、
想定行動エリアの外に出たことを検出する手段と、
想定行動エリアの外に出たことが検出された場合に位置通知専用端末モードへ移行させる手段とを更に備えたことを特徴とする携帯端末。
【請求項４】
請求項１に記載の携帯端末において、
電池パックを取り外そうとすることを検出する手段と、
電池パックを取り外そうとすることが検出された場合に、現在位置を通知するとともに、位置通知専用端末モードへ移行させる手段とを更に備えたことを特徴とする携帯端末。
【請求項５】
請求項４に記載の携帯端末において、
電池パックを取り外そうとすることが検出された場合にブザー音を発生する手段を更に備えたことを特徴とする携帯端末。
【請求項６】
請求項４に記載の携帯端末において、
電池パックの取り外しに際して暗証番号の入力が行われた場合には、現在位置の通知および位置通知専用端末モードへの移行を行わないことを特徴とする携帯端末。
【請求項７】
請求項１に記載の携帯端末において、
所定値以上の加速度が生じたことを検出する手段と、
所定値以上の加速度が生じたことが検出された場合に、現在位置を通知するとともに、位置通知専用端末モードへ移行させる手段とを更に備えたことを特徴とする携帯端末。
【請求項８】
請求項１に記載の携帯端末において、
所定値以上の負荷が加えられたことを検出する手段と、
所定値以上の負荷が加えられたことが検出された場合に、現在位置を通知するとともに、位置通知専用端末モードへ移行させる手段とを更に備えたことを特徴とする携帯端末。
【請求項９】
請求項８に記載の携帯端末において、
所定値以上の負荷が加えられたことが検出された場合にブザー音を発生する手段を更に備えたことを特徴とする携帯端末。
【請求項１０】
請求項１に記載の携帯端末において、
電池残量が所定値以下に低下したことを検出する手段と、
電池残量が所定値以下に低下したことが検出された場合に、現在位置を通知する手段とを更に備えたことを特徴とする携帯端末。
【発明の詳細な説明】
【技術分野】
【０００１】
本発明は、子供の誘拐等への対策を施した携帯電話等の携帯端末に関する。
【背景技術】
【０００２】
最近ではＧＰＳ（Global Positioning System）機能を搭載した携帯電話も普及してきており、そのような携帯電話を持った子供が誘拐等の犯罪に巻き込まれた場合、居場所の特定等に一定の効果を発揮している。
【０００３】
一方、特許文献１には、移動通信装置を紛失した際に、移動通信装置が電源オフの状態にあっても、所定の時間帯については現時点での所有者に気づかれないように電源供給を行い、真の所有者からの保全命令を受付可能とし、完全な電源オフの処理を行う場合には暗証番号を要求する技術が開示されている。
【０００４】
また、特許文献２には、携帯通信端末の現在位置が端末保持者の予想行動範囲から逸脱したと認識された場合、位置情報が所定時間以上連続して変化しなかった場合、移動速度が所定の速度を超過した場合に、依頼者の指定先に通知し、電波信号が受信されなくなった場合に最後の受信地点を通知する技術が開示されている。
【特許文献１】特開平１１−１７８０６８号公報
【特許文献２】特開２００２−２７５２８号公報
【発明の開示】
【発明が解決しようとする課題】
【０００５】
ところで、子供の誘拐等の犯罪にあっては、一般に犯人は後の連絡等のために携帯電話を保持し続ける傾向が高いが、電源が入ったままでは居場所を知られてしまう恐れがあるため、電源をオフしようとする。
【０００６】
この点、上述した特許文献１に記載された技術を適用した場合、犯人に気づかれずに後に機能を活性化できるという利点があるが、そもそも携帯電話等の紛失を対象とした技術であり、誘拐等の犯罪において居場所の特定等を行うものではない。また、仮に機能の活性化により現在位置等の情報を得られたとしても、あくまでも外部から移動通信装置を制御する技術であり、誘拐等の事件が発生した時点での自動的な通報等は行えないものである。一方、特許文献２に記載された技術では、予想行動範囲からの逸脱等により自動的に通報等が行えるものであるが、意図的な電源オフ等への対策は講じられていない。
【０００７】
また、特許文献１、２のいずれも、電池が外されそうになったり、捨てられそうになったり、破壊されそうになったりといった行為には対応することができないという問題があった。
【０００８】
本発明は上記の従来の問題点に鑑み提案されたものであり、その目的とするところは、犯人等の相手に気づかれずに位置通知専用端末に自動的に切り替わるとともに、電池が外されそうになったといった所定の行為に対して位置通知専用端末に自動的に切り替わることで、子供の誘拐等への対策を強化することのできる携帯端末を提供することにある。
【課題を解決するための手段】
【０００９】
上記の課題を解決するため、本発明にあっては、請求項１に記載されるように、電源のオフ操作を検出する手段と、電源のオフ操作が検出された場合に、現在位置を通知するとともに、位置通知専用端末モードへ移行させる手段と、位置通知専用端末モードへの移行後に予め設定された時間間隔で周期的に現在位置を通知する手段とを備えるようにしている。
【００１０】
また、請求項２に記載されるように、請求項１に記載の携帯端末において、電源のオフ操作に際して暗証番号の入力が行われた場合には、現在位置の通知および位置通知専用端末モードへの移行を行わずに通常の電源オフモードに移行させるようにすることができる。
【００１１】
また、請求項３に記載されるように、請求項１に記載の携帯端末において、想定行動エリアの外に出たことを検出する手段と、想定行動エリアの外に出たことが検出された場合に位置通知専用端末モードへ移行させる手段とを更に備えるようにすることができる。
【００１２】
また、請求項４に記載されるように、請求項１に記載の携帯端末において、電池パックを取り外そうとすることを検出する手段と、電池パックを取り外そうとすることが検出された場合に、現在位置を通知するとともに、位置通知専用端末モードへ移行させる手段とを更に備えるようにすることができる。
【００１３】
また、請求項５に記載されるように、請求項４に記載の携帯端末において、電池パックを取り外そうとすることが検出された場合にブザー音を発生する手段を更に備えるようにすることができる。
【００１４】
また、請求項６に記載されるように、請求項４に記載の携帯端末において、電池パックの取り外しに際して暗証番号の入力が行われた場合には、現在位置の通知および位置通知専用端末モードへの移行を行わないようにすることができる。
【００１５】
また、請求項７に記載されるように、請求項１に記載の携帯端末において、所定値以上の加速度が生じたことを検出する手段と、所定値以上の加速度が生じたことが検出された場合に、現在位置を通知するとともに、位置通知専用端末モードへ移行させる手段とを更に備えるようにすることができる。
【００１６】
また、請求項８に記載されるように、請求項１に記載の携帯端末において、所定値以上の負荷が加えられたことを検出する手段と、所定値以上の負荷が加えられたことが検出された場合に、現在位置を通知するとともに、位置通知専用端末モードへ移行させる手段とを更に備えるようにすることができる。
【００１７】
また、請求項９に記載されるように、請求項８に記載の携帯端末において、所定値以上の負荷が加えられたことが検出された場合にブザー音を発生する手段を更に備えるようにすることができる。
【００１８】
また、請求項１０に記載されるように、請求項１に記載の携帯端末において、電池残量が所定値以下に低下したことを検出する手段と、電池残量が所定値以下に低下したことが検出された場合に、現在位置を通知する手段とを更に備えるようにすることができる。
【発明の効果】
【００１９】
本発明の携帯端末にあっては、犯人等の相手に気づかれずに位置通知専用端末に自動的に切り替わるとともに、電池が外されそうになったといった所定の行為に対して位置通知専用端末に自動的に切り替わることで、子供の誘拐等への対策を強化することができる。
【発明を実施するための最良の形態】
【００２０】
以下、本発明の好適な実施形態につき図面を参照して説明する。
【００２１】
図１は本発明の一実施形態にかかる携帯端末の構成例を示す図である。図１において、携帯端末１００は、全体的な制御を行う制御部１０１と、本体にネジ止め等により固定された電池パック等の電池部１０２と、この電池部１０２のカバーが開けられたことを検出するセンサーＡ部１０３と、電池部１０２の充電制御および各部への電源供給を行う電源部１０４とを備えている。また、日付時間情報を出力する時計部１０５と、ユーザにより操作される電源スイッチ１０７およびテンキー１０８を有する操作部１０６と、ブザー音を発生するブザー部１０９と、液晶ディスプレイ等の表示部１１０とを備えている。更に、ＧＰＳ等により現在位置を測定する位置測位処理部１１１と、加速度センサーおよび加重センサーからなるセンサーＢ部１１２と、無線信号を送信する送信処理部１１４および無線信号を受信する受信処理部１１５を有する信号処理部１１３と、アンテナ１１６とを備えている。そして、携帯端末１００は公衆網２００を介して位置通知サービス等を提供するアプリケーションサーバー３００にアクセス可能となっている。
【００２２】
図２は携帯端末１００の有する位置通知専用端末への切替機能を示す図であり、大別して、犯人等の相手に気づかれずに行う位置通知専用端末への切替機能Ｆ１と、誘拐等の犯人動作による位置通知専用端末への切替機能Ｆ２とを備えている。犯人等の相手に気づかれずに行う位置通知専用端末への切替機能Ｆ１は、一般的な切替の機能Ｆ１１と、エリア外への移動による切替の機能Ｆ１２とからなる。一般的な切替の機能Ｆ１１では、電源オフ操作により位置通知専用端末となり、この時、位置通知専用端末に切替った特別な表示等は行わない。エリア外への移動による切替の機能Ｆ１２では、想定行動エリアの外に出た時に自動的に位置通知専用端末に切替る。誘拐等の犯人動作による位置通知専用端末への切替機能Ｆ２は、電池を外されそうになった時の切替機能Ｆ２１と、捨てられそうになった時の切替機能Ｆ２２と、壊されそうな時の切替機能Ｆ２３とからなる。電池を外されそうになった時の切替機能Ｆ２１では、電池パックはネジ止めされており、電池パックのカバーを開ける際に暗証番号を必要とし、暗証番号を入れずにカバーを開けようとした場合はブザー音が鳴り、位置を通知して位置通知専用端末に切替る。捨てられそうになった時の切替機能Ｆ２２では、携帯端末１００が投げられた時を想定し、一定値以上の加速度を検知すると位置を通知して位置通知専用端末に切替る。壊されそうな時の切替機能Ｆ２３では、携帯端末１００の折りたたみ部分等に大きな力がかかるとブザー音が鳴り、位置を通知して位置通知専用端末に切替る。
【００２３】
以下、図１の実施形態の動作を説明する。
【００２４】
＜一般的な切替＞
操作部１０６の電源スイッチ１０７を押下した信号を制御部１０１で受けると、位置測位処理部１１１にて自己の位置を測位し、その測位結果を制御部１０１から信号処理部１１３の送信処理部１１４を介し、事前に設定されている送信先であるアプリケーションサーバー３００に公衆網２００を介して送信する。
【００２５】
その後、制御部１０１の制御のもと位置通知専用端末モードに入り、信号処理部１１３の受信処理部１１５で受けた音声およびデータの通信信号の接続処理を行わないようにする。
【００２６】
また、この処理により、受信信号に対して接続不能となるが、表示部１１０にはその状態を表示せず、電源をオフにした時と同じ状態の表示とする。
【００２７】
その後、時計部１０５に事前に設定されたタイマーがカウントを開始し、設定された時間が経過した信号を制御部１０１が受けると、位置測位処理部１１１にて位置を測位し、その結果を信号処理部１１３の送信処理部１１４を介して、事前に設定されているアプリケーションサーバー３００に送信する。タイマーによる位置の通知はその後も周期的に繰り返される。
【００２８】
なお、操作部１０６のテンキー１０８にて暗証番号を押下後、操作部１０６の電源スイッチ１０７を押下した信号を制御部１０１で受けた時には、電源部１０４にて通常の電源をオフ（電源オフモード）にする処理が行われる。
【００２９】
＜エリア外への移動による切替＞
アプリケーションサーバー３００から定期的な位置検索要求を信号処理部１１３の受信処理部１１５にて受け、位置測位処理部１１１にて測位し、その結果をアプリケーションサーバー３００に送信する。
【００３０】
アプリケーションサーバー３００で受けた位置測位結果より、アプリケーションサーバー３００に事前登録されている行動エリアの外にいると判断した時に、アプリケーションサーバー３００からエリア外判定を携帯端末１００に通知する。
【００３１】
信号処理部１１３の受信処理部１１５にてエリア外判定結果を受信した信号を制御部１０１で受けると、位置通知専用端末モードに入り、信号処理部１１３の受信処理部１１５で受けた音声およびデータの通信信号の接続処理を行わないようにする。
【００３２】
その後、受信信号に対して接続不能となるが、表示部１１０にはその状態を表示せず、電源をオフにした時と同じ状態の表示とする。
【００３３】
その後、時計部１０５に事前に設定されたタイマーがカウントを開始し、設定された時間が経過した信号を制御部１０１が受けると、位置測位処理部１１１にて位置を測位し、その結果を信号処理部１１３の送信処理部１１４を介して、事前に設定されているアプリケーションサーバー３００に送信する。タイマーによる位置の通知はその後も周期的に繰り返される。
【００３４】
＜電池を外されそうになった時の切替＞
電池部１０２のカバーを強制的に開けようとしたことをセンサーＡ部１０３にて感知した信号を制御部１０１で受けると、位置測位処理部１１１にて自己の位置を測位し、その測位結果を信号処理部１１３の送信処理部１１４を介して、事前に設定されている送信先であるアプリケーションサーバー３００に送信する。同時に、ブザー部１０９からブザー音を鳴らせ、緊急事態であることを周囲に知らせる。
【００３５】
その後、制御部１０１の制御のもと位置通知専用端末モードに入り、信号処理部１１３の受信処理部１１５で受けた音声およびデータの通信信号の接続処理を行わないようにする。
【００３６】
その後、受信信号に対して接続不能となるが、表示部１１０にはその状態を表示せず、電源をオフにした時と同じ状態の表示とする。
【００３７】
その後、時計部１０５に事前に設定されたタイマーがカウントを開始し、設定された時間が経過した信号を制御部１０１が受けると位置測位処理部１１１にて位置を測位し、その結果を信号処理部１１３の送信処理部１１４を介して、事前に設定されているアプリケーションサーバー３００に送信する。タイマーによる位置の通知はその後も周期的に繰り返される。
【００３８】
なお、操作部１０６のテンキー１０８にて暗証番号を入力した後、電池部１０２の取り外し操作を行うことで上記の動作を回避することができる。
【００３９】
＜捨てられたそうな時の切替＞
センサーＢ部１１２にて一定以上の加速度を感知した信号を制御部１０１で受けると、位置測位処理部１１１にて自己の位置を測位し、その測位結果を信号処理部１１３の送信処理部１１４を介して、事前に設定されている送信先であるアプリケーションサーバー３００に送信する。同時に、ブザー部１０９からブザー音を鳴らせ、緊急事態であることを周囲に知らせる。
【００４０】
その後、制御部１０１の制御のもと位置通知専用端末モードに入り、信号処理部１１３の受信処理部１１５で受けた音声およびデータの通信信号の接続処理を行わないようにする。
【００４１】
その後、受信信号に対して接続不能となるが、表示部１１０にはその状態を表示せず、電源をオフした時と同じ状態の表示とする。
【００４２】
その後、時計部１０５に事前に設定されたタイマーがカウントを開始し、設定された時間が経過した信号を制御部１０１が受けると、位置測位処理部１１１にて位置を測位し、その結果を信号処理部１１３の送信処理部１１４を介して、事前に設定されているアプリケーションサーバー３００に送信する。タイマーによる位置の通知はその後も周期的に繰り返される。
【００４３】
＜壊されそうな時の切替＞
センサーＢ部１１２にて一定以上の加重を感知した信号を制御部１０１で受けると、位置測位処理部１１１にて自己の位置を測位し、その測位結果を信号処理部１１３の送信処理部１１４を介して、事前に設定されている送信先であるアプリケーションサーバー３００に送信する。同時に、ブザー部１０９からブザー音を鳴らせ、緊急事態であることを周囲に知らせる。
【００４４】
その後、制御部１０１の制御のもと位置通知専用端末モードに入り、信号処理部１１３の受信処理部１１５で受けた音声およびデータの通信信号の接続処理を行わないようにする。
【００４５】
その後、受信信号に対して接続不能となるが、表示部１１０にはその状態を表示せず、電源をオフした時と同じ状態の表示とする。
【００４６】
その後、時計部１０５に事前に設定されたタイマーがカウントを開始し、設定された時間が経過した信号を制御部１０１が受けると、位置測位処理部１１１にて位置を測位し、その結果を信号処理部１１３の送信処理部１１４を介して、事前に設定されているアプリケーションサーバー３００に送信する。タイマーによる位置の通知はその後も周期的に繰り返される。
【００４７】
＜その他＞
電源部１０４により電池部１０２の電圧を監視し、電池切れ直前の電圧値になると位置測位処理部１１１にて自己の位置を測位し、その測位結果を信号処理部１１３の送信処理部１１４を介して、事前に設定されている送信先であるアプリケーションサーバー３００に送信する。
【００４８】
このように、誘拐等により危険な状態になった時に、電源のオフ操作や通常の操作や犯人が行うことが想定される操作（動作）によって携帯端末１００は位置通知専用端末に切り替わることにより、犯人に気づかれずに位置を通知することができる。
【００４９】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５０】
【図１】本発明の一実施形態にかかる携帯端末の構成例を示す図である。
【図２】位置通知専用端末への切替機能を示す図である。
【符号の説明】
【００５１】
１００    携帯端末
１０１    制御部
１０２    電池部
１０３    センサーＡ部
１０４    電源部
１０５    時計部
１０６    操作部
１０７    電源スイッチ
１０８    テンキー
１０９    ブザー部
１１０    表示部
１１１    位置測位処理部
１１２    センサーＢ部
１１３    信号処理部
１１４    送信処理部
１１５    受信処理部
１１６    アンテナ
２００    公衆網
３００    アプリケーションサーバー
【図１】
2007049356.tif 000003
【図２】
2007049356.tif 000004